(57)【要約】【課題】従来の２ヶ月見カレンダーは月替わりがすると下に今月分が表示され上に来月分が表示されることがあり、違和感を生じることがあった。又、一般の名刺入れは取り出し易さにおいて不十分なものであった。特に複数種類の名刺を携える人には不満を与えるものであった。これらの原因は、各板体のカード保持順序は天地を変えずに容易に変えることが出来なかったためである。【解決手段】カード保持部を有する一対の板体同士を複数の紐丁番を用いて繋ぎ合わせることにより、各板体のカード保持順序が天地を変えずに容易に変えることが出来、違和感が解消される。【選択図】図１
2011126260.tif 000002
【特許請求の範囲】
【請求項１】
一対の板体が複数の紐丁番により、からくり屏風の様に繋ぎ合わされてなり、各板体において、該複数の紐丁番の各板体への固定部間の部分が位置する面とは反対側の面にはカードあるいは薄板体を保持するカード保持部が形成されていることを特徴とする物品保持具。
【請求項２】
上記紐丁番が帯状になされ、透視可能な部材で形成されてなることを特徴とする、請求項１に記載の物品保持具。
【請求項３】
上記紐丁番が線材で形成されてなることを特徴とする、請求項１に記載の物品保持具。
【請求項４】
上記板体における紐丁番の固定された周縁部の内、一方から立ち上がり辺が設けられ、該立ち上がり辺の端部から相対向する他方の周縁部に向けて略三角形状の縁部が延設されている、請求項１〜３いずれかに記載の物品保持具。
【請求項５】
請求項１記載の一方の板体のカード保持部に、奇数月のカレンダー紙葉または奇数頁の紙葉が保持され、他方のカード保持部に偶数月のカレンダー紙葉または偶数頁の紙葉が保持されてなることを特徴とする、請求項１〜４いずれかに記載の物品保持具。
【発明の詳細な説明】
【技術分野】
【０００１】  本発明は、整理分類あるいは視認性向上を図ったカード類の物品保持具に関する。
【背景技術】
【０００２】  従来の２ヶ月見カレンダーとしては特許文献１に提示されたものが存在する。【０００３】  又、名刺やカード類を入れるものとして、種々の名刺入れが市販されている。【０００４】  更に紐丁番機構を利用したカレンダーが従来技術（図７）として特許文献２に示されている。
【先行技術文献】
【特許文献】
【０００５】
【特許文献１】実用新案登録３０７０７６１号  公報
【０００６】
【特許文献２】特許４２１９９７３号  公報
【発明の概要】
【発明が解決しようとする課題】
【０００７】  特許文献１のカレンダーは月替わりがすると下に今月分が表示され上に来月分が表示されて、違和感を生じることがあった。【０００８】  又、一般の名刺入れは取り出し易さにおいて不十分なものであった。特に複数種類の名刺を携える人には不満を与えるものであった。
【課題を解決するための手段】
【０００９】  本発明は一対の板体が複数の紐丁番により、からくり屏風の様に繋ぎ合わされてなり、各板体において、該複数の紐丁番の各板体への固定部間の部分が位置する面とは反対側の面にはカードあるいは薄板体を保持するカード保持部が形成されていることを特徴とする物品保持具である。【００１０】  本発明において『紐丁番』とは通称『ぺたくた』『パタパタ』と称されるからくり紐丁番を指す。（『スクリーンのからくり紐丁番』、建築雑誌  １０５（１２９４）ｐｐ．１０  １９９００１２０日本建築学会刊  参照）【００１１】  本発明においては、紐丁番が帯状になされ、透視可能な部材で構成されても良い。【００１２】  本発明においては、紐丁番が線材で構成されても良い。【００１３】  本発明においては、上記板体における紐丁番の固定された周縁部の内、一方から立ち上がり辺が設けられ、該立ち上がり辺の端部から相対向する他方の周縁部に向けて略三角形状の縁部が延設されていても良い。【００１４】  本発明においては、一方の板体のカード保持部に奇数月のカレンダー紙葉または奇数頁の紙葉が保持され、他方のカード保持部に偶数月のカレンダー紙葉または偶数頁の紙葉が保持されていても良い。
【発明の効果】
【００１５】  本発明は紐丁番構造により一対の板体の二つのカード保持部と保持させたカード（例えばカレンダー紙葉）の上下、左右の順番を容易に入れ替える事が出来る。【００１６】  その為、本発明を用いたカレンダーやスケジュール表では、上下または左右に順序良く連続表示でき使い勝手が良い。【００１７】  本発明を用いたホワイトボードや黒板では、記述済みの板書内容を片面に書き残しながら用いるのが容易であり、閲覧する者の理解を助ける。
【図面の簡単な説明】
【００１８】
【図１】本発明物品保持具の一例を示す斜視図
【図２】図１の物品保持具の背面図
【図３】図１の物品保持具の縦断面図
【図４】本発明物品保持具の他の例を示す背面図
【図５】本発明物品保持具の更に他の例を示す正面図
【図６】本発明物品保持具の他の例の斜視図
【図７】本発明物品保持具の更に他の例の斜視図
【図８】図７の物品保持具の変形例を示す斜視図
【図９】図１の物品保持具の展開例を示す斜視図
【発明を実施するための形態】
【００１９】  以下、本発明の実施の形態を図１〜図９に基づいて説明する。
【００２０】  図１は本発明物品保持具１０１の一例を示す斜視図であり、図２はその背面図である。又、図３は図２のＡ−Ａ‘断面図（ａ）、Ｂ−Ｂ’断面図（ｂ）である。
【００２１】  物品保持具１０１は、一対の板体１０２、１０３からなり、それらが帯状の紐丁番１０４・・・、１０５・・・、により結合されている。紐丁番１０４、１０５の板体１０２、１０３に対する固定の様子は図３の断面図により示される。
【００２２】  即ち、紐丁番１０４は図３（ａ）において一端が板体１０２の上縁部表面側に固定され、板体１０２の裏面を経て、板体１０３の上縁部表面側に他端部が固定されている。また、紐丁番１０５は図３（ｂ）において一端が板体１０２の下縁部表面側に固定され、板体１０３の裏面を経て、板体１０３の下縁部表面側に他端部が固定されている。１１６は目隠し板であり、紐丁番１０４，１０５の端部を覆って目隠しとなる。１０６はゴム製のコーナーストラップであり４つのコーナーストラップ１０６、１０６、・・・によって物品保持部１０７を構成している。コーナーストラップ１０６は、通孔１１５を通じて板体表面に現れる。または板体裏面にも同様にコーナーストラップ１０６として現れる。１０８はカードの一種のカレンダー紙葉であり、例えば１月を表示している。
【００２３】  このカレンダー紙葉１０８は、奇数月１、３、５，７，９，１１月をグループとして板体１０２の物品保持部１０７にセットされている。又、偶数月２，４，６，８，１０，１２月のグループは、板体１０３の物品保持部１０７にセットされ全体として２ヶ月見のカレンダーとして使用できる。
【００２４】  尚、板体１０２、１０３の上縁部に通孔１１０、１１０を設けることにより、壁のフックに掛けてカレンダーとして使用することも可能となる。
【００２５】  上記においては物品保持具１０１をカレンダーに使用した場合を説明したが、保持するカードとしてホワイトボードや黒板を使用する場合、メモボードや学習用教材として使う事が出来る。即ち、一方のホワイトボードに板書した内容を残したまま他方のホワイトボードにその展開や解答例を書くことも出来る。
【００２６】  図４は本発明物品保持具の他の例２０１を示す背面図である。
【００２７】  物品保持具２０１は、一対の板体２０２、２０３からなり、それらが帯状になされた透明な紐丁番２０４・・・、２０５・・・、により結合されている。
【００２８】  即ち、紐丁番２０４・・・、２０５・・・は、図３（ａ）（ｂ）と同様に板体２０２、２０３に結合されている。
【００２９】  図４に示すように、板体２０２、２０３の裏面もカード保持部として用い、予備あるいは過ぎてしまったカレンダー紙葉を保持しながら、尚且つ透視して確認できる。
【００３０】  尚、他の部位の構造、機能は図１〜３の例と同様なので省略する。
【００３１】  図５は本発明物品保持具の更に他の例３０１を示す正面図である。
【００３２】  物品保持具３０１は、一対の板体３０２、３０３からなり、それらが線材の紐丁番３０４・・・、３０５・・・、により結合されている。紐丁番３０４、３０５の板体３０２、３０３に対する固定の様子は図３の断面図（ａ）（ｂ）と同様である。
【００３３】  図５の例では、裏面に予備あるいは過ぎてしまったカレンダー紙葉３０８、３０８を保持した場合、殆どそのまま視認できる。
【００３４】  尚、他の部位の構造、機能は図１〜３の例と同様なので省略する。
【００３５】  図６は本発明物品保持具の他の例４０１を示す斜視図である。図６は立ち上がり辺４１１が設けられた例であって、板体４０２、４０３の下縁部から立ち上がり辺４１１が設けられ、立ち上がり辺４１１の両端から板体４０２，４０３の上縁部に向けて三角形状の縁部４１２、４１２が設けられている。
【００３６】  この物品保持具４０１では板体４０２、４０３を合わせた時に中に収容部が出来、他の物品を収納する事も可能となる。又、カレンダー紙葉４０８等のカードを多数保持する余裕も生じる。
【００３７】  尚、他の部位の構造、機能は図１〜３の例と同様なので省略する。
【００３８】  図７は本発明物品保持具の更に他の例５０１を示す斜視図であり、図７（ａ）は板体５０２，５０３を閉じた状態、図７（ｂ）はそれを開いた状態を示す。図７の物品保持具５０１は名刺入れとして使用した例である。名刺入れの場合、２種類の名刺を分けて保持し、その取り出しも容易である。
【００３９】  この物品保持具５０１では板体５０２、５０３を合わせた時に中に収容部が出来、他の物品を収納する事も可能となる。又、カレンダー紙葉４０８等のカードを多数保持する余裕も生じる。
【００４０】  尚、他の部位の構造、機能は図１〜３の例と同様なので省略する。
【００４１】  図８の物品保持具６０１は図７の物品保持具５０１の変形例であって、三角形状の縁部６１２、６１２が曲線をもって形成され、名刺入れの場合、名刺の取り出しが更に簡便になる。
【００４２】  この物品保持具６０１では板体６０２、６０３を合わせた時に中に収容部が出来、他の物品を収納する事も可能となる。又、カレンダー紙葉６０８等のカードを多数保持する余裕も生じる。
【００４３】  尚、他の部位の構造、機能は図１〜３の例と同様なので省略する。
【００４４】  図９（ａ）→（ｂ）→（ｃ）→（ｄ）→（ｅ）→（ｆ）→（ｇ）→（ｈ）は物品保持具１０１の展開の例を示している。
【００４５】  図９（ａ）は本体を脚立状に自立させ、一方の板体を主に表示させる状態である。
【００４６】  図９（ｂ）は上記（ａ）の状態から本体を開き平置きした状態であり、２つの板体面に記述可能な状態でもある。
【００４７】  図９（ｃ）は、例えば２月に入った為、１月のカレンダー紙葉を取り外した状態である。１月のカレンダー紙葉の下に３月のカレンダー紙葉が控えている。更に、本体を脚立状に自立させ、２月の板体を主に表示する為に２月の板体を３月の裏側に移動し始めるところを示す。
【００４８】  図９（ｄ）は２月の板体を３月の裏側に移動する過程を示す。
【００４９】  図９（ｅ）は２月の板体が３月の裏側を経て、更に３月の手前の位置に移動し始める様子を示す。
【００５０】  図９（ｆ）は２月の板体が３月の手前に位置し始める様子を示す。
【００５１】  図９（ｇ）は上記（ｆ）の状態から本体を開き平置きした状態であり、２つの板体面に記述可能な状態でもある。
【００５２】  図９（ｈ）は本体を脚立状に自立させ、一方の板体を主に表示させる状態である。
【符合の説明】
【００５３】１０１、２０１，３０１、４０１，５０１，６０１  物品保持具
１０２、２０２、３０２、４０２、５０２、６０２  板体
１０３、２０３、３０３、４０３、５０３、６０３  板体
１０４、２０４，３０４，４０４，５０４，６０４  紐丁番
１０５，２０５，３０５，４０５，５０５，６０５  紐丁番
１０６，２０６、３０６，４０６，５０６，６０６  コーナーストラップ
１０７，２０７，３０７，４０７，５０７，６０７  物品保持部
１０８，２０８，３０８，４０８，５０８，６０８  カレンダー紙葉
１１０，２１０，３１０，４１０，５１０，６１０  通孔
４１１、５１１，６１１  立ち上がり辺
４１２、５１２，６１２  三角形状の縁部
１１５、２１５，３１５、４１５、５１５，６１５  コーナーストラップ通孔
１１６，２１６，３１６，４１６，５１６，６１６  目隠し板
【図１】
2011126260.tif 000003
【図２】
2011126260.tif 000004
【図３】
2011126260.tif 000005
【図４】
2011126260.tif 000006
【図５】
2011126260.tif 000007
【図６】
2011126260.tif 000008
【図７】
2011126260.tif 000009
【図８】
2011126260.tif 000010
【図９】
2011126260.tif 000011